(57)【要約】【課題】物品を載置して支持する支持部材の全長を容易に調整することができるキャスターを提供する。【解決手段】キャスター１００は、物品２００を載置して支持し第１ラックギア部１０１ｅが側方（横幅方向Ｘ）に沿って形成された第１の支持部材（第１支柱１０１）と、第１支柱１０１と並行して配置され、物品２００を載置して支持し第２ラックギア部１０２ｅが側方に沿って形成された第２の支持部材（第２支柱１０２）と、第１支柱１０１と第２支柱１０２との間に配置され、第１ラックギア部１０１ｅおよび第２ラックギア部１０２ｅを回転自在に連結する第１ピニオンギア部１０３ａが外周面に形成された連結部材（第１連結ギア１０３）と、第１支柱１０１と第２支柱１０２と連結部材（第１連結ギア１０３）とを一体に保持する保持部材（ホルダー１０４）と、を有する。【選択図】図２
2019051770.tif 000002
【特許請求の範囲】
【請求項１】
物品を載置して支持し第１のギアが側方に沿って形成された第１の支持部材と、
前記第１の支持部材と並行して配置され、前記物品を載置して支持し第２のギアが側方に沿って形成された第２の支持部材と、
前記第１の支持部材と前記第２の支持部材との間に配置され、前記第１のギアおよび前記第２のギアを回転自在に連結する連結ギアが外周面に形成された連結部材と、
前記第１の支持部材と前記第２の支持部材と前記連結部材とを一体に保持する保持部材と、を有するキャスター。
【請求項２】
前記第１の支持部材および前記第２の支持部材の少なくとも一方は、コの字形状に形成され、コの字形状の先端の一端部および他端部に前記第１のギアおよび前記第２のギアの少なくとも一方が形成された、請求項１に記載のキャスター。
【請求項３】
前記第１の支持部材および前記第２の支持部材の少なくとも一方は、板状の部材を環状に屈折させて中空形状に形成され、前記板状の部材の片端または両端を側方に向かって突出させた先端に前記第１のギアおよび前記第２のギアの少なくとも一方が形成された、請求項１に記載のキャスター。
【請求項４】
前記第１の支持部材および前記第２の支持部材の少なくとも一方は、別体の前記第１のギアおよび前記第２のギアの少なくとも一方を接合して構成した、請求項１〜３のいずれか１項に記載のキャスター。
【請求項５】
前記第１の支持部材および前記第２の支持部材の少なくとも一方は、中空形状に形成され、前記第１のギアおよび前記第２のギアの少なくとも一方の基端部を挿入して構成した、請求項４に記載のキャスター。
【請求項６】
前記保持部材は、中空形状に形成され、前記第１の支持部材と前記第２の支持部材とをそれぞれ内面に当接させつつ側方に沿って移動可能に収容し、前記連結部材の回転軸部の両端を支持しつつ回転自在に収容した、請求項１〜５のいずれか１項に記載のキャスター。
【請求項７】
前記第１のギアは側方に沿って伸長した前記第１の支持部材の一方に形成され、
前記第２のギアは側方に沿って伸長した前記第２の支持部材の一方に形成され、
前記物品を載置して支持し第３のギアが側方に沿って形成された一対の第３の支持部材と、
各々の前記第３の支持部材と並行して配置され、前記物品を載置して支持し第４のギアが側方に沿って形成された一対の第４の支持部材と、
各々の前記第３の支持部材と前記第４の支持部材との間に配置され、各々の前記第３のギアおよび前記第４のギアを回転自在に連結する他の連結ギアが外周面に形成された一対の他の連結部材と、
各々の前記第３の支持部材と前記第４の支持部材と前記他の連結部材とを一体に保持する一対の他の保持部材と、をさらに有し、
一対の前記他の保持部材のうち、一方の前記他の保持部材は、前記第１の支持部材の他方に設けられ、他方の前記他の保持部材は、前記第２の支持部材の他方に設けられた、請求項１〜６のいずれか１項に記載のキャスター。
【発明の詳細な説明】
【技術分野】
【０００１】
本発明は、キャスターに関する。
【背景技術】
【０００２】
従来から、例えば、洗濯物収容かご（物品）を運ぶための移動台車（キャスター）がある（例えば、特許文献１参照。）。この特許文献１には、水平に固着される金属丸パイプ状の連結杆基体（支柱）と、連結杆基体に摺動自在に挿入される適宜長さの金属丸パイプ状の摺動杆（支柱）と、連結杆基体と摺動杆とを任意の位置で連結する固定手段の構成が開示されている（段落「００１１」および図５参照）。
【先行技術文献】
【特許文献】
【０００３】
【特許文献１】実開平７−９３００号公報
【発明の概要】
【発明が解決しようとする課題】
【０００４】
特許文献１に記載の構成では、連結杆基体（支柱）と摺動杆（支柱）とを任意の全長になるように別々にスライドさせて位置決めする必要があり、手間が掛かる。
【０００５】
本発明は、上記の課題を解決するためになされたものであり、物品を載置して支持する支持部材の全長を容易に調整することができるキャスターの提供を目的とする。
【課題を解決するための手段】
【０００６】
上記目的を達成する本発明に係るキャスターは、物品を載置して支持し第１のギアが側方に沿って形成された第１の支持部材と、前記第１の支持部材と並行して配置され、前記物品を載置して支持し第２のギアが側方に沿って形成された第２の支持部材と、前記第１の支持部材と前記第２の支持部材との間に配置され、前記第１のギアおよび前記第２のギアを回転自在に連結する連結ギアが外周面に形成された連結部材と、前記第１の支持部材と前記第２の支持部材と前記連結部材とを一体に保持する保持部材と、を有する。
【発明の効果】
【０００７】
上記のキャスターによれば、第１の支持部材と第２の支持部材とを連結部材を境にして接近離間させることによって、物品を載置して支持する支持部材の全長を容易に調整することができる。
【図面の簡単な説明】
【０００８】
【図１】実施形態のキャスターを示す斜視図である。
【図２】図１のキャスターを示す上面図である。
【図３】図１のキャスターを部分的に示す斜視図である。
【図４】図３のキャスターを部分的に示す斜視図である。
【図５Ａ】実施形態の変形例１のキャスターを部分的に示す斜視図である。
【図５Ｂ】実施形態の変形例２のキャスターを部分的に示す斜視図である。
【図５Ｃ】実施形態の変形例３のキャスターを部分的に示す斜視図である。
【発明を実施するための形態】
【０００９】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。
【００１０】
各図において、Ｘ、Ｙ、およびＺで表す矢印を用いて、キャスターの方位を示している。Ｘによって表す矢印の方向は、キャスターの横幅方向Ｘを示している。Ｙによって表す矢印の方向は、キャスターの奥行方向Ｙを示している。Ｚによって表す矢印の方向は、キャスターの高さ方向Ｚを示している。
【００１１】
（実施形態）
（キャスター１００の構成）
実施形態のキャスター１００の構成（第１支柱１０１〜脚１０９）について、図１〜図４を参照しながら説明する。
【００１２】
図１は、実施形態のキャスター１００を示す斜視図である。図２は、図１のキャスター１００を示す上面図である。図３は、図１のキャスター１００を部分的に示す斜視図である。図４は、図３のキャスター１００を部分的に示す斜視図である。
【００１３】
第１支柱１０１（第１の支持部材）は、図１〜図４に示すように、物品２００を載置して支持するものである。
【００１４】
第１支柱１０１は、横幅方向Ｘに沿って相対的に長尺な角柱形状の基部１０１ａと、奥行方向Ｙに沿って相対的に短尺な角筒形状の保持部１０１ｂからなり、上方から見た場合Ｔ字形状になるように一体に成形されている。基部１０１ａは、高さ方向Ｚと奥行方向Ｙによってなす側方から見た場合、コの字形状に形成されている。基部１０１ａは、コの字形状の先端に沿って伸長した一端部１０１ｃと他端部１０１ｄに、第１ラックギア部１０１ｅ（第１のギア）が形成されている。保持部１０１ｂは、高さ方向Ｚと横幅方向Ｘによってなす側方から見た場合、中空形状に形成されている。保持部１０１ｂは、後述する第３支柱１０５と第４支柱１０６と第２連結ギア１０７とを一体に保持する。保持部１０１ｂは、第３支柱１０５および第４支柱１０６の離脱を防止するストッパー機能（不図示）を備えている。第１支柱１０１は、金属からなる。
【００１５】
第２支柱１０２（第２の支持部材）は、図１〜図３に示すように、物品２００を載置して支持するものである。
【００１６】
第２支柱１０２は、奥行方向Ｙに沿って、第１支柱１０１と並列して配置されている。第２支柱１０２は、第１支柱１０１と同様に、横幅方向Ｘに沿って相対的に長尺な角柱形状の基部１０２ａと、奥行方向Ｙに沿って相対的に短尺な角筒形状の保持部１０２ｂからなり、上方から見た場合Ｔ字形状になるように一体に成形されている。基部１０２ａは、第１支柱１０１の基部１０１ａと同様に、高さ方向Ｚと奥行方向Ｙによってなす側方から見た場合、コの字形状に形成されている。基部１０２ａは、第１支柱１０１の基部１０１ａと同様に、コの字形状の先端に沿って伸長した一端部１０２ｃと他端部１０２ｄに、第２ラックギア部１０２ｅ（第２のギア）が形成されている。基部１０２ａの第２ラックギア部１０２ｅは、第１支柱１０１の基部１０１ａに形成された第１ラックギア部１０１ｅと、横幅方向Ｘに沿って対向している。保持部１０２ｂは、第１支柱１０１の保持部１０２ｂと同様に、高さ方向Ｚと横幅方向Ｘによってなす側方から見た場合、中空形状に形成されている。保持部１０２ｂは、第３支柱１０５と第４支柱１０６と第２連結ギア１０７とを一体に保持する。保持部１０２ｂは、第３支柱１０５および第４支柱１０６の離脱を防止するストッパー機能（不図示）を備えている。第２支柱１０２は、金属からなる。
【００１７】
第１連結ギア１０３（連結部材）は、図２〜図４に示すように、第１支柱１０１の第１ラックギア部１０１ｅと第２支柱１０２の第２ラックギア部１０２ｅを回転自在に連結するものである。
【００１８】
第１連結ギア１０３は、第１支柱１０１と第２支柱１０２の間に配置されている。第１連結ギア１０３は、その外周面に、第１支柱１０１の第１ラックギア部１０１ｅおよび第２支柱１０２の第２ラックギア部１０２ｅをそれぞれ回転自在に連結する第１ピニオンギア部１０３ａ（連結ギア）が形成されている。第１連結ギア１０３は、第１ピニオンギア部１０３ａの中心の貫通孔に回転軸部１０３ｂを挿入して構成している。回転軸部１０３ｂの両端は、ホルダー１０４の上部と下部に開口した支持穴１０４ａに回転自在に挿入されている。第１連結ギア１０３は、金属からなる。
【００１９】
ホルダー１０４（保持部材）は、図１〜図３に示すように、第１支柱１０１と第２支柱１０２と第１連結ギア１０３を一体に保持するものである。
【００２０】
ホルダー１０４は、高さ方向Ｚと奥行方向Ｙによってなす側方から見た場合、中空形状に形成されている。ホルダー１０４は、第１支柱１０１および第２支柱１０２をそれぞれ内面に当接させつつ側方（横幅方向Ｘ）に沿って移動可能に収容している。ホルダー１０４は、第１連結ギア１０３の回転軸部１０３ｂを支持穴１０４ａによって支持することによって、第１連結ギア１０３を回転自在に収容している。ホルダー１０４は、第１支柱１０１および第２支柱１０２の離脱を防止するストッパー機能（不図示）を備えている。ホルダー１０４は、金属からなる。
【００２１】
第３支柱１０５（第３の支持部材）は、図１〜図３に示すように、一対から構成され、物品２００を載置して支持するものである。
【００２２】
第３支柱１０５は、奥行方向Ｙに沿って伸長した角柱形状の基部１０５ａからなる。基部１０５ａは、高さ方向Ｚと横幅方向Ｘによってなす側方から見た場合、コの字形状に形成されている。基部１０５ａは、コの字形状の先端に沿って伸長した一端部１０５ｃと他端部１０５ｄに、第３ラックギア部１０５ｅ（第３のギア）が形成されている。第３支柱１０５は、金属からなる。
【００２３】
第４支柱１０６（第４の支持部材）は、図１〜図３に示すように、一対から構成され、物品２００を載置して支持するものである。
【００２４】
第４支柱１０６は、横幅方向Ｘに沿って、第３支柱１０５と並列して配置されている。第４支柱１０６は、第３支柱１０５と同様に、奥行方向Ｙに沿って伸長した角柱形状の基部１０６ａからなる。基部１０６ａは、高さ方向Ｚと奥行方向Ｙによってなす側方から見た場合、コの字形状に形成されている。基部１０６ａは、コの字形状の先端に沿って伸長した一端部１０６ｃと他端部１０６ｄに、第４ラックギア部１０６ｅ（第４のギア）が形成されている。基部１０６ａの第４ラックギア部１０６ｅは、第３支柱１０５の基部１０５ａの第３ラックギア部１０５ｅと、奥行方向Ｙに沿って対向している。第４支柱１０６は、金属からなる。
【００２５】
第２連結ギア１０７（他の連結部材）は、図２および図３に示すように、一対から構成され、各々の第３支柱１０５の第３ラックギア部１０５ｅと第４支柱１０６の第４ラックギア部１０６ｅを回転自在に連結するものである。
【００２６】
第２連結ギア１０７は、第３支柱１０５と第４支柱１０６の間に配置されている。第２連結ギア１０７は、その外周面に、各々の第３支柱１０５の第３ラックギア部１０５ｅおよび第４支柱１０６の第４ラックギア部１０６ｅを回転自在に連結する第２ピニオンギア部１０７ａ（連結ギア）が形成されている。第２連結ギア１０７は、第２ピニオンギア部１０７ａの中心の貫通孔に回転軸部１０７ｂを挿入して構成している。回転軸部１０７ｂの両端は、第１支柱１０１の保持部１０１ｂの上部と下部に開口した支持穴１０１ｆに回転自在に挿入されている。第２連結ギア１０７は、金属からなる。
【００２７】
固定ネジ１０８は、図１〜図３に示すように、第１支柱１０１と第２支柱１０２の全長（横幅方向Ｘ）、および第３支柱１０５と第４支柱１０６の全長（奥行方向Ｙ）を、それぞれ固定するものである。
【００２８】
固定ネジ１０８は、ホルダー１０４の側面（高さ方向Ｚと横幅方向Ｘによってなす側方から見た両側）に開口したネジ溝１０４ｂにネジ留めしつつ、第１支柱１０１または第２支柱１０２の側面を押圧して固定する。また、固定ネジ１０８は、例えば、第２支柱１０２の保持部１０２ｂの側面（高さ方向Ｚと奥行方向Ｙによってなす側方から見た両側）に開口したネジ溝１０２ｇにネジ留めしつつ、第３支柱１０５の側面を押圧して固定する。
【００２９】
脚１０９は、図１および図３に示すように、第１支柱１０１〜第４支柱１０６によって支持した物品２００を移動させるものである。
【００３０】
脚１０９は、一対の第３支柱１０５の下方と、一対の第４支柱１０６の下方に、それぞれ接合されている。脚１０９は、回転自在なタイヤからなり、ストッパー機能を備えている。
【００３１】
（キャスター１００の全長の調整方法）
実施形態のキャスター１００の全長（横幅方向Ｘおよび奥行方向Ｙの全長）の調整方法について、図１および図２を参照しながら説明する。
【００３２】
キャスター１００の横幅方向Ｘの全長を調整する場合、ホルダー１０４のネジ溝１０４ｂにネジ留めされた固定ネジ１０８を、予め緩めた状態にしておく。キャスター１００の横幅方向Ｘの全長は、第１支柱１０１と第２支柱１０２を互いに接近離間させることによって調整する。キャスター１００の奥行方向Ｙの全長を調整する場合、例えば第２支柱１０２のネジ溝１０２ｇにネジ留めされた固定ネジ１０８を、予め緩めた状態にしておく。キャスター１００の奥行方向Ｙの全長は、第３支柱１０５と第４支柱１０６を互いに接近離間させることによって調整する。
【００３３】
（キャスター１００の作用効果）
実施形態のキャスター１００の作用効果を説明する。
【００３４】
キャスター１００は、物品２００を載置して支持し第１ラックギア部１０１ｅが側方（横幅方向Ｘ）に沿って形成された第１支柱１０１と、第１支柱１０１と並行して配置され、物品２００を載置して支持し第２ラックギア部１０２ｅが側方に沿って形成された第２支柱１０２と、第１支柱１０１と第２支柱１０２との間に配置され、第１ラックギア部１０１ｅおよび第２ラックギア部１０２ｅを回転自在に連結する第１ピニオンギア部１０３ａが外周面に形成された第１連結ギア１０３と、第１支柱１０１と第２支柱１０２と第１連結ギア１０３とを一体に保持するホルダー１０４と、を有する。
【００３５】
かかるキャスター１００によれば、第１支柱１０１と第２支柱１０２とを第１連結ギア１０３を境にして接近離間させることによって、物品２００を載置して支持する第１支柱１０１と第２支柱１０２の全長を容易に調整することができる。
【００３６】
キャスター１００は、第１支柱１０１および第２支柱１０２を、常に第１連結ギア１０３を中心にして、接近離間するように移動させることができる。同様に、キャスター１００は、第３支柱１０５と第４支柱１０６を、常に第２連結ギア１０７を中心にして、接近離間するように移動させることができる。したがって、キャスター１００は、第１連結ギア１０３や第２連結ギア１０７を重心として伸縮させることによって、その剛性を保つことができる。
【００３７】
キャスター１００は、第１支柱１０１を固定すれば、その第１支柱１０１に連結している第１連結ギア１０３を介して、第２支柱１０２も固定できる。同様に、キャスター１００は、第３支柱１０５を固定すれば、その第３支柱１０５に連結している第２連結ギア１０７を介して、第４支柱１０６も固定できる。したがって、キャスター１００は、その全長を容易に固定することができる。
【００３８】
キャスター１００は、その中央付近に物品２００を仮置きした状態で、例えば、一方（例えば図２中の右側）の第３支柱１０５および第４支柱１０６を横幅方向Ｘに沿って中央の側に移動させると、他方（図２中の左側等）の第３支柱１０５および第４支柱１０６が追随して中央の側に移動する。すなわち、一方を移動させると、他方を同じ距離だけ互いに接近離間させるように移動させることができる。したがって、キャスター１００は、例えば物品２００の中心を基準にして、全長の調整を容易に行うことができる。
【００３９】
キャスター１００において、第１支柱１０１および第２支柱１０２は、コの字形状に形成され、コの字形状の先端の一端部および他端部に第１ラックギア部１０１ｅおよび第２ラックギア部１０２ｅが形成されている。
【００４０】
かかるキャスター１００によれば、第１支柱１０１の第１ラックギア部１０１ｅおよび第２支柱１０２の第２ラックギア部１０２ｅを、それぞれ第１連結ギア１０３の上部と下部の２箇所で連結させることによって、上方から物品２００の重量等に起因する応力が掛かっても、第１支柱１０１と第２支柱１０２の座屈を防止することができる。さらに、かかるキャスター１００によれば、第１支柱１０１および第２支柱１０２を、それぞれコの字形状からなる中空構造として、体積を減少させて重量を抑制することができる。
【００４１】
キャスター１００において、ホルダー１０４は、中空形状に形成され、第１支柱１０１と第２支柱１０２とをそれぞれ内面に当接させつつ側方（横幅方向Ｘ）に沿って移動可能に収容し、第１連結ギア１０３の回転軸部の両端を支持しつつ回転自在に収容している。
【００４２】
かかるキャスター１００によれば、ホルダー１０４の内面によって第１支柱１０１と第２支柱１０２とを十分に保持し、かつ、ホルダー１０４によって第１連結ギア１０３の回転軸部の両端を支持することによって、上方から応力が掛かっても、第１支柱１０１と第２支柱１０２の座屈を防止することができる。
【００４３】
キャスター１００において、第１ラックギア部１０１ｅは、側方（横幅方向Ｘ）に沿って伸長した第１支柱１０１の一方に形成されている。第２ラックギア部１０２ｅは、側方（横幅方向Ｘ）に沿って伸長した第２支柱１０２の一方に形成されている。キャスター１００は、物品２００を載置して支持し第３ラックギア部１０５ｅが側方（奥行方向Ｙ）に沿って形成された一対の第３支柱１０５と、各々の第３支柱１０５と並行して配置され、物品２００を載置して支持し第４ラックギア部１０６ｅが側方（奥行方向Ｙ）に沿って形成された一対の第４支柱１０６と、各々の第３支柱１０５と第４支柱１０６との間に配置され、各々の第３ラックギア部１０５ｅおよび第４ラックギア部１０６ｅを回転自在に連結する他の第２ピニオンギア部１０７ａが外周面に形成された一対の第２連結ギア１０７と、各々の第３支柱１０５と第４支柱１０６と第２連結ギア１０７とを一体に保持する一対の保持部１０１ｂおよび保持部１０１ｂと、をさらに有する。ここで、一対の保持部１０１ｂおよび保持部１０１ｂのうち、一方の保持部１０１ｂは、第１支柱１０１の他方に設けられ、他方の保持部１０２ｂは、第２支柱１０２の他方（保持部１０２ｂ）に設けられている。
【００４４】
かかるキャスター１００によれば、各々の第３支柱１０５と第４支柱１０６と第２連結ギア１０７とを組み合せて、各々の第３支柱１０５と第４支柱１０６とをそれぞれ第２連結ギア１０７を境にして接近離間させることによって、物品２００を載置して支持する各々の第３支柱１０５と第４支柱１０６の全長を容易に調整することができる。すなわち、キャスター１００は、横幅方向Ｘの全長に加えて、奥行方向Ｙの全長も容易に調整することができる。
【００４５】
（実施形態の変形例１〜３）
実施形態の変形例１〜３では、様々なラックギア部の構成について説明する。
【００４６】
（キャスターのラックギア部の構成）
図５Ａは、実施形態の変形例１のキャスターを部分的に示す斜視図である。図５Ａのキャスターにおいて、第１支柱２０１および第２の支持部材（不図示）は、板状の部材を環状に屈折させて中空形状に形成した基部２０１ａ等を設けている。例えば、第１支柱２０１の基部２０１ａは、片端を側方（奥行方向Ｙ）に向かって突出させた先端２０１ｈに、第１ラックギア部２０１ｅが形成されている。第１連結ギア２０３（連結部材）は、第１支柱２０１の第１ラックギア部２０１ｅと、第２の支柱の第２ラックギア部（不図示）を回転自在に連結するものである。第１連結ギア２０３は、その外周面に第１ピニオンギア部２０３ａが形成されている。第１連結ギア２０３は、第１ピニオンギア部２０３ａの中心の貫通孔に回転軸部２０３ｂを挿入して構成している。
【００４７】
図５Ｂは、実施形態の変形例２のキャスターを部分的に示す斜視図である。図５Ｂのキャスターにおいて、第１支柱３０１および第２の支持部材（不図示）は、それぞれ板状の部材を環状に屈折させて中空形状に形成した基部３０１ａ等を設けている。例えば、第１支柱３０１の基部３０１ａは、その両端の先端３０１ｈが、上下（高さ方向Ｚ）に向かって離間した状態で対向している。図５Ｂのキャスターにおいて、第１支柱３０１の側面に対して、別体の第１ラックギア部３１１を接触させた状態で、例えば背面の離間した一対の先端３０１ｈから挿入したネジ３１２によってネジ留めして構成している。
【００４８】
図５Ｃは、実施形態の変形例３のキャスターを部分的に示す斜視図である。図５Ｃのキャスターにおいて、第１支柱４０１および第２の支持部材（不図示）は、板状の部材を環状に屈折させて中空形状に形成した基部４０１ａ等を設けている。例えば、第１支柱４０１の基部４０１ａは、その両端の先端４０１ｈが、上下（高さ方向Ｚ）に向かって離間した状態で対向している。図５Ｃのキャスターにおいて、第１支柱４０１は、別体の第１ラックギア部４１１の基端部４１１ａを、離間した先端４０１ｈの間に挿入して内側面に接触させた状態において、背面からネジ３１２によってネジ留めして構成している。
【００４９】
（キャスターの作用効果）
実施形態の変形例１〜３のキャスターの作用効果を説明する。
【００５０】
実施形態の変形例１または２のキャスターのうち、例えば図５Ａに示す変形例１のキャスターにおいて、第１支柱２０１および第２の支持部材（不図示）は、板状の部材を環状に屈折させて中空形状に形成され、板状の部材の片端を側方（奥行方向Ｙ）に向かって突出させた先端２０１ｈに第１ラックギア部２０１ｅおよび第２のラックギア部（不図示）が形成されている。
【００５１】
かかるキャスターによれば、例えば第１支柱２０１を、非常に簡単な構成によって廉価に製造することができ、かつ、中空構造によって体積を減少させて重量を抑制することができる。
【００５２】
実施形態の変形例２および３のキャスターのうち、例えば図５Ｂに示す変形例２のキャスターにおいて、第１支柱３０１および第２の支持部材（不図示）は、別体の第１ラックギア部３１１および第２のラックギア部（不図示）を接合して構成している。
【００５３】
かかるキャスターによれば、形状が比較的簡便な第１支柱３０１と、形状が比較的複雑な第１ラックギア部３１１を、それぞれ独立して製造することによって、廉価に製造することができる。さらに、かかるキャスターによれば、第１支柱３０１と第１ラックギア部３１１を、それぞれ独立して製造することによって、材質を容易に異ならせることができる。すなわち、例えば、第１支柱３０１は十分な剛性を備えるために金属とし、第１ラックギア部３１１は第１連結ギア４０３との相性を考慮して樹脂とすることができる。
【００５４】
実施形態の変形例３のキャスターにおいて、第１の支持部材（第１支柱４０１）および第２の支持部材（不図示）は、中空形状に形成され、第１ラックギア部４１１および第２のラックギア部（不図示）の基端部４１１ａ等を挿入して構成している。
【００５５】
かかるキャスターによれば、例えば、第１支柱４０１と第１ラックギア部４１１とを強固に接合することができる。したがって、キャスターは、上方から応力が掛かっても、第１支柱４０１と第１ラックギア部４１１が分離することを防止できる。
【００５６】
以上、本発明における好適な実施形態を説明したが、これらは本発明を説明するための例示であり、本発明の範囲をこれらの実施形態にのみ限定する趣旨ではない。したがって、本発明は、その要旨を逸脱しない範囲で、上述した実施形態とは異なる種々の態様で実施することができる。すなわち、本発明は、特許請求の範囲に記載された構成に基づき様々な改変が可能であり、それらについても本発明の範疇である。
【００５７】
実施形態のキャスターは、第１支柱１０１と第２支柱１０２との全長、または第３支柱１０５と第４支柱１０６との全長のいずれか一方のみ、ラックピニオンの構成によって調整な構成としてもよい。
【符号の説明】
【００５８】
１００  キャスター、１０１  第１支柱、１０１ａ  基部、１０１ｂ  保持部、１０１ｃ  一端部、１０１ｄ  他端部、１０１ｅ  第１ラックギア部、１０１ｆ  支持穴、１０２  第２支柱、１０２ａ  基部、１０２ｂ  保持部、１０２ｃ  一端部、１０２ｄ  他端部、１０２ｅ  第２ラックギア部、１０２ｇ  ネジ溝、１０３  第１連結ギア、１０３ａ  第１ピニオンギア部、１０３ｂ  回転軸部、１０４  ホルダー、１０４ａ  支持穴、１０４ｂ  ネジ溝、１０５  第３支柱、１０５ａ  基部、１０５ｃ  一端部、１０５ｄ  他端部、１０５ｅ  第３ラックギア部、１０６  第４支柱、１０６ａ  基部、１０６ｃ  一端部、１０６ｄ  他端部、１０６ｅ  第４ラックギア部、１０７  第２連結ギア、１０７ａ  第２ピニオンギア部、１０７ｂ  回転軸部、１０８  固定ネジ、１０９  脚、２００  物品、２０１  第１支柱、２０１ａ  基部、２０１ｅ  第１ラックギア部、２０１ｈ  先端、２０３  第１連結ギア、２０３ａ  第１ピニオンギア部、２０３ｂ  回転軸部、３０１  第１支柱、３０１ａ  基部、３０１ｈ  先端、３１１  第１ラックギア部、３１２  ネジ、４０１  第１支柱、４０１ａ  基部、４０１ｈ  先端、４１１  第１ラックギア部、４１１ａ  基端部、Ｘ  横幅方向、Ｙ  奥行方向、Ｚ  高さ方向。
【図１】
2019051770.tif 000003
【図２】
2019051770.tif 000004
【図３】
2019051770.tif 000005
【図４】
2019051770.tif 000006
【図５Ａ】
2019051770.tif 000007
【図５Ｂ】
2019051770.tif 000008
【図５Ｃ】
2019051770.tif 000009